(57)【特許請求の範囲】
【請求項１】
ベースユニットと、
このベースユニットの上面に設けられた屈曲可能なクッション体と、
このクッション体及び上記ベースユニットを一体的に被覆した外装体を具備し、
上記ベースユニットは、
固定杆部及びこの固定杆部の一端と他端に回動可能に連結された断面形状が逆Ｕ字状に形成された複数の可動杆部を有する一対のサイドフレームと、
一対のサイドフレームの対応する位置にある上記可動杆部を所定間隔で連結した第１の連結杆及び一対の上記固定杆部を所定間隔で連結した第２の連結杆と、
上記第１の連結杆及び第２の連結杆によって所定間隔で連結された一対のサイドフレーム間に上記固定杆部及び可動杆部に対応して分割されて設けられ上面に上記クッション体が載置される複数の載置部材と、
一方のサイドフレームの上記固定杆部の内面側の一端部に設けられ第１の駆動軸を回転駆動する第１の駆動源及び他端部に設けられ第２の駆動軸を回転駆動する第２の駆動源と、
上記第１の駆動軸に一端が連結され上記固定杆部の一端に連結された上記可動杆部の逆Ｕ字状の内部に挿通されて設けられ上記第１の駆動源によって上記第１の駆動軸が回転駆動されることで上記固定杆部の一端に連結された上記可動杆部を起伏駆動する第１のリンクと、
上記第２の駆動軸に一端が連結され上記固定杆部の他端に連結された上記可動杆部の逆Ｕ字状の内部に挿通されて設けられ上記第２の駆動源によって上記第２の駆動軸が回転駆動されることで上記固定杆部の他端に連結された上記可動杆部を起伏駆動する第２のリンクと
によって構成されていることを特徴とするマットレス装置。
【請求項２】
上記クッション体はスプリングユニットであって、
上記固定杆部と可動杆部との連結部分に対応する箇所で第１のスプリング部と第２のスプリング部とに分割されていることを特徴とする請求項１記載のマットレス装置。
【請求項３】
ベッドフレームと、このベッドフレームに設けられるマットレス装置を有し、
上記マットレス装置は請求項１に記載された構成であって、上記マットレス装置の固定杆部が上記ベッドフレームに取付け固定されることを特徴とするベッド装置。
【発明の詳細な説明】
【技術分野】
【０００１】
この発明は利用者の身体を起こした状態で保持することができるリクライニング式のマットレス装置及びそのマットレス装置が用いられるベッド装置に関する。
【背景技術】
【０００２】
一般に、ベッド装置はベッドフレームを有し、このベッドフレームには床板が架設され、この床板上にはマットレス装置が設けられる。このようなベッド装置を、たとえば身体が不自由な老人や病人などの利用者が利用する場合、食事をしたり、読書をするときなどは上半身を起こした姿勢を楽に維持することができるようにすることが好ましい。
【０００３】
そのようなベッド装置として、従来は特許文献１に示されたベッド装置が提案されている。特許文献１に示されたベッド装置はベッドフレームに設けられる床板を、可動床板と固定床板とに分割し、可動床板は上記ベッドフレームに回動可能に取付ける。そして、この可動床板を駆動機構によって起伏駆動することで、上記床板を所定の角度で起上させることができるようにしている。
【０００４】
したがって、上記床板に載置されたマットレス上に利用者が仰臥し、上記可動床板を起上方向に駆動すれば、利用者は上半身を所定の角度で起こした姿勢を楽に維持することが可能となる。
【特許文献１】特開２００５−１９２７３６号公報
【発明の開示】
【発明が解決しようとする課題】
【０００５】
しかしながら、特許文献１に示されたベッド装置は、マットレス装置が床板上に単に載置されているだけであり、しかも可動床板を起伏駆動するための駆動機構が外部に露出して設けられている。
【０００６】
そのため、利用者が上半身を起こすために可動床板を起上方向に駆動すると、マットレス装置が床板上で、上記可動床板の起上方向にずれ動き、可動床板から浮き上がって確実に屈曲されないということがある。そのような場合、利用者は上半身を確実に起こすことができなくなるということがあったり、屈曲されないマットレス装置によって身体、とくに腰部から臀部の付近が圧迫され、快適性が損なわれるばかりか、床ずれの原因になるということもある。
【０００７】
しかも、マットレス装置が載置される床板及び床板の可動床板を駆動する駆動機構が外部に露出しているため、ベッド装置の外観が損なわれるということがあるばかりか、ベッド装置のフレームに対して上記床板や駆動機構などを別々に組み込まなければならないから、納入先でのベッド装置の組み立て作業に手間や時間が掛かるということがある。
【０００８】
この発明は利用者が上半身を起こすときなどに確実に屈曲させることができるようにしたマットレス装置及びそのマットレス装置が用いられるベッド装置を提供することにある。
【課題を解決するための手段】
【０００９】
この発明は、ベースユニットと、
このベースユニットの上面に設けられた屈曲可能なクッション体と、
このクッション体及び上記ベースユニットを一体的に被覆した外装体を具備し、
上記ベースユニットは、
固定杆部及びこの固定杆部の一端と他端に回動可能に連結された断面形状が逆Ｕ字状に形成された複数の可動杆部を有する一対のサイドフレームと、
一対のサイドフレームの対応する位置にある上記可動杆部を所定間隔で連結した第１の連結杆及び一対の上記固定杆部を所定間隔で連結した第２の連結杆と、
上記第１の連結杆及び第２の連結杆によって所定間隔で連結された一対のサイドフレーム間に上記固定杆部及び可動杆部に対応して分割されて設けられ上面に上記クッション体が載置される複数の載置部材と、
一方のサイドフレームの上記固定杆部の内面側の一端部に設けられて第１の駆動軸を回転駆動する第１の駆動源及び他端部に設けられて第２の駆動軸を回転駆動する第２の駆動源と、
上記第１の駆動軸に一端が連結され上記固定杆部の一端に連結された上記可動杆部の逆Ｕ字状の内部に挿通されて設けられ上記第１の駆動源によって上記第１の駆動軸が回転駆動されることで上記固定杆部の一端に連結された上記可動杆部を起伏駆動する第１のリンクと、
上記第２の駆動軸に一端が連結され上記固定杆部の他端に連結された上記可動杆部の逆Ｕ字状の内部に挿通されて設けられ上記第２の駆動源によって上記第２の駆動軸が回転駆動されることで上記固定杆部の他端に連結された上記可動杆部を起伏駆動する第２のリンクと
によって構成されていることを特徴とするマットレス装置にある。
【００１０】
上記クッション体はスプリングユニットであって、
上記固定杆部と可動杆部との連結部分に対応する箇所で第１のスプリング部と第２のスプリング部とに分割されていることが好ましい。
【００１２】
この発明は、ベッドフレームと、このベッドフレームに設けられるマットレス装置を有し、
上記マットレス装置は請求項１に記載された構成であって、上記マットレス装置の固定杆部が上記ベッドフレームに取付け固定されることを特徴とするベッド装置にある。
【発明の効果】
【００１３】
この発明によれば、起伏駆動される可動杆部を有するベースユニットに屈曲可能なクッション体を設け、これらを外装体によって一体的に被覆し、上記ベースユニットには上記可動杆部を起伏駆動する駆動源及び動力伝達手段を設けるようにした。
【００１４】
そのため、上記可動杆部を駆動してベースユニットを屈曲させれば、このベースユニットとともに上記クッション体を一体的に屈曲させることが可能となる。
【発明を実施するための最良の形態】
【００１５】
以下、この発明の一実施の形態を図面を参照しながら説明する。  
図１はマットレス装置１の平面図であり、図２はマットレス装置１の一部断面して内部を示した側面図である。上記マットレス装置１はベースユニット２を備えている。このベースユニット２は図３乃至図５に示すように左右一対のサイドフレーム３を有する。このサイドフレーム３は長手方向中途部に固定杆部４が設けられている。
【００１６】
上記固定杆部４の一端には、可動杆部としての第１の背上げ杆部５と第２の背上げ杆部６が支軸７（図５（ｂ）に示す）によって順次回動可能に連結されている。上記固定杆部４の他端には、同じく可動杆部としての第１の脚上げ杆部８と第２の脚上げ杆部９とが同じく支軸７によって順次回動可能に連結されている。
【００１７】
一対のサイドフレーム３は、所定間隔で平行に配置されている。上記各杆部５，６，８，９は断面形状が逆Ｕ字状に形成されていて、図４に示すように各一対の第１の背上げ杆部５、第２の背上げ杆部６、第１の脚上げ杆部８及び第２の脚上げ杆部９の長手方向の一端部下面がそれぞれ第１の連結杆１１によって連結されている。
【００１８】
一対の固定杆部４の一端部と他端部には断面形状がＬ字状の連結部材１３の側辺が上記固定杆部４の側面にねじ止め固定されている。一対の連結部材１３の底辺は図４に示すようにそれぞれ第２の連結杆１４によって連結されている。
【００１９】
図５（ａ）に示すように、一方のサイドフレーム３の固定杆部４の内側面には第１の駆動源１５と第２の駆動源１６が設けられている。図５（ｂ）に示すように、上記固定杆部４の一端部には上記第１の駆動源１５によって回動駆動される第１の駆動軸１７が設けられ、他端部には上記第２の駆動源１６によって回動駆動される第２の駆動軸１８が設けられている。
【００２０】
上記第１の駆動軸１７には動力伝達手段としての第１のリンク２１の一端が連結されている。この第１のリンク２１は上記第１の背上げ杆部５と第２の背上げ杆部６とにわたって挿通されている。
【００２１】
上記第１のリンク２１の一側面には、上記第１の背上げ杆部５の一側面に形成された第１のガイド溝２２にスライド可能に係合する第１のピン２３と、上記第２の背上げ杆部６の一側面に形成された第２のガイド溝２４にスライド可能に係合する第２のピン２５が突設されている。
【００２２】
それによって、上記第１の駆動源１５を作動させて上記第１のリンク２１を上記第１の駆動軸１７を支点として起上方向に駆動すると、上記第１のリンク２１に設けられた第１のピン２３と第２のピン２５が上記第１の背上げ杆部５の第１のガイド溝２２と第２の背上げ杆部６の第２のガイド溝２４に沿ってスライドするから、図２に鎖線で示すように上記第１の背上げ杆部５と第２の背上げ杆部６が上記第１のリンク２１に連動して起上方向に屈曲する。
【００２３】
上記第２の駆動軸１８には動力伝達手段としての第２のリンク２７の一端が連結されている。この第２のリンク２７は上記第１の脚上げ杆部８の内部に挿通されている。第１の脚上げ杆部８の一側面には第３のピン２８が突設され、この第３のピン２８は上記第１の脚上げ杆部８の側面に形成された第３のガイド溝２９にスライド可能に係合している。
【００２４】
したがって、上記第２の駆動軸１８が上記第２の駆動源１６によって駆動されて回動すれば、この第２の駆動軸１８の回動に上記第２のリンク２７が連動して、上記第３のピン２８が上記第３のガイド溝２９をスライドするから、上記第１の脚上げ杆部８が起上方向に駆動される。
【００２５】
上記第１の脚上げ杆部８が起上方向に駆動されると、第１の脚上げ杆部８に一端が枢着された第２の脚上げ杆部９は一端が上昇する方向に回動する。つまり、第１の脚上げ杆部８と第２の脚上げ杆部９は図２に示すようにほぼへの字状に屈曲することになる。
【００２６】
図４や図５（ａ）に示すように、上記一対のサイドフレーム３の固定杆部４、第１の背上げ杆部５、第２の背上げ杆部６、第１の脚上げ杆部８及び第２の脚上げ杆部９の内側面にはそれぞれ複数の支軸３１が突設されている。
【００２７】
各一対の固定杆部４、第１の背上げ杆部５、第２の背上げ杆部６、第１の脚上げ杆部８及び第２の脚上げ杆部９に設けられた支軸３１には、平板状の第１乃至第５の載置部材３２ａ〜３２ｅが架設されている。
【００２８】
上記第１乃至第５の載置部材３２ａ〜３２ｅにはクッション体としてのスプリングユニット３４が載置されている。このスプリングユニット３４は図６に示すように第１のスプリング部３４ａと第２のスプリング部３４ｂとに分割されている。
【００２９】
上記第１のスプリング部３４ａは第１の背上げ杆部５と第２の背脚上げ杆部６とに架設された第２、第３の載置部材３２ｂ，３２ｃに対応して設けられ、第２のスプリング部３４ｂは固定杆部４、第１の脚上げ杆部８及び第２の脚上げ杆部９とに架設された第１、第４及び第５の載置部材３２ａ，３２ｄ，３２ｅに対応して設けられている。
【００３０】
このように、スプリングユニット３４を第１のスプリング部３４ａと第２のスプリング部３４ｂとに分割したため、第１の背上げ杆部５と第２の背上げ杆部６を固定杆部４に対して起上方向に回動させたとき、スプリングユニット３４に屈曲抵抗が発生することがほとんどない。そのため、スプリングユニット３４が第１乃至第５の載置部材３２ａ〜３２ｅの上面で第１の背上げ杆部５と第２の背脚上げ杆部６の起上方向に移動するということもない。
【００３１】
上記スプリングユニット３４の上面には図示しないウレタンフォームや綿などの弾性材が積層されている。そして、スプリングユニット３４と弾性材との積層体の上面及び外周面と、上記ベースユニット２の外周面及び下面は外装体３５によって被覆されている。
【００３２】
上記外装体３５によって被覆されたベースユニット２の下面には、図１に破線で示すように一対の連結部材１３の下面にわたる長さの帯板状の支持部材３６がねじ３７によって固定されている。この支持部材３６は、図７に示すように上記外装体３５を上記連結部材１３の下面とで挟んで設けられている。上記連結部材１３の下面にはナット３８が設けられ、このナット３８は上記支持部材３６に形成された通孔３９内に臨んでいる。
【００３３】
図１と図４に示すように、上記マットレス装置１の一側からは、上記第１、第２の駆動源１５，１６に給電するための電気コード４１及び上記第１、第２の駆動源１５，１６を遠隔操作するためのリモートコントローラ４２が導出されている。
【００３４】
このように構成されたマットレス装置１において、マットレス装置１上に仰臥した図示しない利用者が上半身を起こす場合には、上記リモートコントローラ４２を操作して第１の駆動源１５を作動させ、第１のリンク２１を起上方向に回動させれば、この第１のリンク２１によって第１の背上げ杆部５と第２の背上げ杆部６を上昇方向に回動させることができる。
【００３５】
各一対の第１の背上げ杆部５と第２の背上げ杆部６にはそれぞれ第２の載置部材３２ｂと第３の載置部材３２ｃが架設され、これら載置部材３２ｂ，３２ｃには、第１のスプリング部３４ａと第２のスプリング部３４ｂに分断されたスプリングユニット３４の、上記第１のスプリング部３４ａが載置されている。
【００３６】
そのため、第１の背上げ杆部５と第２の背上げ杆部６を起上方向に回動させてマットレス装置１を屈曲させる際、第１のスプリング部３４ａと第２のスプリング部３４ｂに分断されたスプリングユニット３４に大きな屈曲抵抗が生じることがないから、上記第１の背上げ杆部５と第２の背上げ杆部６を容易に、しかも第２の載置部材３２ｂと第３の載置部材３２ｃ上でこれらの起上方向にずれることなく、マットレス装置１を屈曲させることができる。
【００３７】
なお、第１の背上げ杆部５と第２の背上げ杆部６の屈曲角度はわずかであるから、その部分の屈曲によって第１のスプリング部３４ａに屈曲抵抗が生じることはほとんどなく、しかも第１のスプリング部３４ａは外装体３５によってベースユニット２に一体的に保持されているから、第２、第３の載置部材３２ｂ，３２ｃから浮き上がるようなこともない。
【００３８】
一方、上記リモートコントローラ４２を操作して第２の駆動源１６を作動させ、第２のリンク２７を起上方向に回動させれば、この第２のリンク２７に第１の脚上げ杆部８が連動して上昇し、この上昇に第２の脚上げ杆部９が連動し、第１の脚上げ杆部８と第２の脚上げ杆部９はへの字状に屈曲する。
【００３９】
それによって、各一対の固定杆部４、第１の脚上げ杆部８及び第２の脚上げ杆部９に架設された第１、第４、第５の載置部材３２ａ，３２ｄ，３２ｅに載置された第２のスプリング部３４ｂが上記第１、第２の脚上げ杆部８，９の屈曲形状に応じて山形状に屈曲されるから、上半身が起こされた利用者の脚部が前方へずれるのが阻止される。つまり、利用者は上半身を起こした姿勢を楽に維持することができる。
【００４０】
第２のスプリング部３４ｂは第１、第４、第５の載置部材３２ａ，３２ｄ，３２ｅの全体にわたる大きさであるため、屈曲時に抵抗が発生する。しかしながら、第２のスプリング部３４ｂは長手方向の中途部を頂点として山形状に屈曲されるから、屈曲時に発生する抵抗が上記第２のスプリング部３４ｂを前後方向にずれ動かす力とならず、しかも外装体３５によってベースユニット２に一体的に保持されているから、第１、第４、第５の載置部材３２ａ，３２ｄ，３２ｅから浮き上がることもない。
【００４１】
したがって、以上のことにより、マットレス装置１を背上げ状態や脚上げ状態に確実に屈曲させることができるばかりか、屈曲させたときにスプリングユニット３４の第１のスプリング部３４ａや第２のスプリング部３４ｂが前後方向にずれ動いたり、浮き上がることがないから、利用者に不快感を与えたり、利用者の身体の、とくに腰部の付近などを必要以上に圧迫するなどのことがない。
【００４２】
マットレス装置１を起伏させるための第１、第２の駆動源１５，１６、ベースユニット２或いは第１、第２のリンク２１，２７は外装体３５の内部に設けられ、外部に露出することがないから、外観的に良好である。
【００４３】
このように、起伏機構を内蔵して一体化されたマットレス装置１は、単独で使用することが可能であるばかりか、図８に示すようにベッド装置４５のベッドフレーム４６に載置して利用することができる。ベッド装置４５に載置する場合、マットレス装置１の幅方向両側下面を上記ベッドフレーム４６の側部材４７の内面に架設された受け桟４８に係合させて載置する。
【００４４】
上記マットレス装置１の幅方向両側の下面の長手方向中途部、つまりベースユニット２の固定杆部４の箇所には連結部材１３に設けられたナット３８（図７に示す）が露出している。そのため、上記ナット３８にボルト４９を受け桟４８の上下方向に貫通させて螺合させれば、上記マットレス装置１を上記ベッド装置４５に移動不能に取付けることができる。
【００４５】
上記マットレス装置１は上述したようにその背部側と足部側を屈曲させるための機構が内蔵されている。そのため、ベッドフレーム４６にマットレス装置１を載置し、連結部材１３に設けられたナット３８にボルト４９を螺合させるだけで、ベッド装置４５を組み立てることができるから、納入先での組立作業を迅速かつ容易に行うことができる。
【００４６】
上記一実施の形態ではマットレス装置の利用者の上半身に対応する一端部と、下半身に対応する他端部の両方を起伏駆動させる構成としたが、少なくとも上半身に対応する一端部だけを起伏駆動させることができる構成であってもよい。
【００４７】
また、クッション体としてスプリングユニットを用いる例を挙げて説明したが、クッション体としてはスプリングユニットに代わりウレタンフォームなどの弾性材などであってもよい。
【００４８】
さらに、クッション体として用いられるスプリングユニットを第１のスプリング部と第２のスプリング部とに分割してクッション体を屈曲可能な構成としたが、たとえばスプリングユニットに設けられる枠線の一部を分割したり、スプリングユニットの隣り合うコイルスプリングのヘリカル線による連結を解除するなどして上記クッション体を屈曲可能な構成としてもよい。
【図面の簡単な説明】
【００４９】
【図１】この発明の位置実施の液体Ｗ示すマットレス装置の平面図。
【図２】上記マットレス装置の一端部と他端部を屈曲させた状態を一部断面して示す側面図。
【図３】上面に第１乃至第５の載置部材が設けられたベースユニットの上面図。
【図４】上面に第１乃至第５の載置部材が設けられたベースユニットの下面図。
【図５】（ａ）はベースユニットを構成する一対のサイドフレームの平面図、（ｂ）は一方のサイドフレームの側面図。
【図６】ベースユニットの第１乃至第５の載置部材の上面に載置されるスプリングユニットの平面図。
【図７】サイドフレームの固定杆部に設けられた一方の連結部材の部分の拡大図。
【図８】マットレス装置が設置されたベッド装置の側断面図。
【符号の説明】
【００５０】
１…マットレス装置、２…ベースユニット、３…サイドフレーム、４…固定杆部、５…第１の背上げ杆部、６…第２の背上げ杆部、８…第１の脚上げ杆部、９…第２の脚上げ杆部、１５…第１の駆動源、１６…第２の駆動源、３２ａ〜３２ｅ…第１乃至第５の載置部材、３４…スプリングユニット、３４ａ…第１のスプリング部、３４ｂ…第２のスプリング部、３５…外装体、４５…ベッド装置。
【図１】
0005297645.tif 000002
【図２】
0005297645.tif 000003
【図３】
0005297645.tif 000004
【図４】
0005297645.tif 000005
【図５】
0005297645.tif 000006
【図６】
0005297645.tif 000007
【図７】
0005297645.tif 000008
【図８】
0005297645.tif 000009